(57)【要約】【課題】複数のユーザが使用するコンテンツ管理装置において、あるユーザの推奨コンテンツを他のユーザの所持する機器に簡単に書き込みたい。【解決手段】第１記録媒体１１６は、所定のコンテンツを記録する。受付部１００は、コンテンツを推奨するか否かを受け付ける。制御部１０４は、第１記録媒体１１６に記録されたコンテンツを、着脱自在な第２記録媒体に書き込むよう制御する。その際、制御部１０４は、コンテンツが推奨されている場合、第２記録媒体が装着されると、それに起因してコンテンツを第２記録媒体に書き込むよう制御する。【選択図】図１
2009099181.tif 000002
【特許請求の範囲】
【請求項１】
所定のコンテンツを記録する第１記録媒体と、
前記コンテンツを推奨するか否かを受け付ける受付部と、
前記第１記録媒体に記録されたコンテンツを、着脱自在な第２記録媒体に書き込むよう制御する制御部と、を備え、
前記制御部は、前記コンテンツが推奨されている場合、前記第２記録媒体が装着されると、それに起因して前記コンテンツを前記第２記録媒体に書き込むよう制御することを特徴とするコンテンツ管理装置。
【請求項２】
前記コンテンツには複製回数を所定の回数に制限する情報が付されており、
前記制御部は、前記コンテンツの複製回数を管理し、前記所定の回数を超える、前記コンテンツの前記第２記録媒体への書き込みを禁止することを特徴とする請求項１に記載のコンテンツ管理装置。
【請求項３】
前記制御部は、前記第２記録媒体にあらかじめ設定された、推奨されるコンテンツを受け入れるか否かを示す情報を参照し、受け入れが拒否されている場合、前記コンテンツの前記第２記録媒体への書き込みを中止することを特徴とする請求項１または２に記載のコンテンツ管理装置。
【請求項４】
前記制御部は、前記第２記録媒体にあらかじめ設定された、受け入れを許可するジャンル情報を参照し、前記コンテンツのジャンルと一致するとき前記コンテンツを前記第２記録媒体に書き込むよう制御し、一致しないとき前記コンテンツの前記第２記録媒体への書き込みを中止することを特徴とする請求項１または２に記載のコンテンツ管理装置。
【発明の詳細な説明】
【技術分野】
【０００１】
本発明は、コンテンツを記録し、管理するコンテンツ管理装置に関する。
【背景技術】
【０００２】
音楽や映像などのデジタル化が進み、日本では２００３年１２月から一部地域で地上デジタル放送が開始された。地上デジタル放送やＢＳデジタル放送ではコピーワンスが採用されている。コピーワンスはデジタルコンテンツの著作権保護方式の一つで、一度だけコピーを許可する方式である。
【０００３】
地上デジタル放送の開始に伴い、デジタル放送される番組を受信し、ＤＶＤ、ブルーレイディスク、ハードディスクなどの記録媒体に記録し、再生することのできる記録再生装置が普及してきている。それと共に、携帯型音楽プレーヤ、携帯型ゲーム機器、携帯電話機、スマートフォンなどの携帯機器も普及してきいる。このような環境下、自宅の記録再生装置に録画した番組を携帯機器に移動または複製して、外で番組を視聴するというスタイルが定着してきている。また、自宅の記録再生装置に記録した番組を車内のカーナビゲーション装置で視聴するというスタイルも提案されている。
【０００４】
このように、録画された番組を外に持ち出して視聴する機会が多くなってくると、コピーワンスは現実的でなく、総務省は地上デジタル放送について、録画された番組を９回までコピーすることを許可する方向で検討している（２００７年１０月現在）。
【０００５】
特許文献１は、映像信号の記録方法を開示する。この記録方法は、分割された番組映像信号の中の所定箇所の消去を禁止する消去禁止フラグとその消去禁止フラグを解除するパスワードとが同一セル内に記述された再生セルを複数設ける。そして、複数の再生セルをリスト化した再生リストを作成し、作成された再生リストと、時系列に送られてきた上記分割された番組映像信号とを記録媒体に記録する。
【特許文献１】特開２００６−１７９１７４号公報
【発明の開示】
【発明が解決しようとする課題】
【０００６】
上述した記録再生装置（以下、コンテンツ管理装置という）を家庭内に一台設置すれば、そのコンテンツ管理装置から家族ひとりひとりが自分の携帯機器にコンテンツを複製することが可能となる。本発明者は、複数のユーザが使用するコンテンツ管理装置において、あるユーザの推奨コンテンツを他のユーザの所持する機器に簡単に書き込むことができる手法を見出した。
【０００７】
本発明はこうした状況に鑑みてなされたもので、その目的は、複数のユーザが使用するコンテンツ管理装置において、あるユーザの推奨コンテンツを他のユーザの所持する機器に簡単に書き込むことができるコンテンツ管理装置を提供することにある。
【課題を解決するための手段】
【０００８】
本発明のある態様のコンテンツ管理装置は、所定のコンテンツを記録する第１記録媒体と、コンテンツを推奨するか否かを受け付ける受付部と、第１記録媒体に記録されたコンテンツを、着脱自在な第２記録媒体に書き込むよう制御する制御部と、を備える。制御部は、コンテンツが推奨されている場合、第２記録媒体が装着されると、それに起因してコンテンツを第２記録媒体に書き込むよう制御する。
【０００９】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１０】
本発明によれば、複数のユーザが使用するコンテンツ管理装置において、あるユーザの推奨コンテンツを他のユーザの所持する機器に簡単に書き込むことができる。
【発明を実施するための最良の形態】
【００１１】
図１は、実施の形態に係るコンテンツ管理装置１０の構成を示す。
コンテンツ管理装置１０は、受付部１００、制御部１０４、ＭＰＥＧ−ＴＳデコーダ１０６、Ｄ／Ａ変換部１０８、表示装置１１０、第２記録媒体装着部１１２、第１記録媒体１１６、チューナ１２０、伝送路復号部１２２、およびＴＳ分離／選択部１２４を備える。
【００１２】
これらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１３】
アンテナ２００は、デジタル変調された放送信号を受信する。コンテンツ管理装置１０は、アンテナ２００からデジタル放送を受信し、受信したデジタル放送のコンテンツを記録媒体に記録する。ユーザから再生を指示されると、記録媒体に記録したコンテンツを再生する。
【００１４】
チューナ１２０は、制御部１０４からの指示に従って、アンテナ２００で受信された放送信号から、ユーザが選択したチャンネルの信号を抽出する。伝送路復号部１２２は、チューナ１２０により抽出された信号を、ＭＰＥＧ２で符号化された映像音声データの形式に復号し、ＴＳ分離／選択部１２４へ出力する。ＴＳ分離／選択部１２４は、映像音声データを第１記録媒体１１６に蓄積する。
【００１５】
受付部１００は、コンテンツを推奨するか否かを受け付ける。受付部１００はリモコン受光部１０１および表示パネル１０２を含む。リモコン受光部１０１は、ユーザがコンテンツ管理装置１０に対して指示を入力するためのリモートコントローラ（図示せず）から発せられる光を受信して、ユーザからの指示を取得する。表示パネル１０２は、各種制御情報などを表示する。ユーザは、上記コンテンツの推奨をそのコンテンツの録画予約の際に行ってよいし、録画予約に先立ち行ってもよいし、録画予約の後に行ってもよい。たとえば、当該コンテンツを視聴したユーザが感銘を受けた場合、それを家族に勧めるべく、当該コンテンツを推奨するための指示をリモートコントローラから入力することができる。
【００１６】
第１記録媒体１１６は、所定のコンテンツを記録する。第１記録媒体１１６は、コンテンツ管理装置１０本体に内蔵された記録媒体である。たとえば、ハードディスクを採用することができる。以下、記録するコンテンツとして録画予約にしたがい録画されたコンテンツを想定する。
【００１７】
制御部１０４は、第１記録媒体１１６に記録されたコンテンツを、着脱自在な可搬性のある第２記録媒体３００に書き込むよう制御する。第２記録媒体３００は、ＤＶＤ、ブルーレイディスク、リムーバブルハードディスクなどを採用することができる。ここで、第２記録媒体３００の形態は、記録媒体そのものであってもよいし、リムーバブルドライブであってもよいし、携帯型音楽プレーヤなどの携帯機器に内蔵されたものであってもよい。
【００１８】
制御部１０４は、受付部１００によりコンテンツが推奨されると、そのコンテンツに推奨フラグを立てる。制御部１０４は、コンテンツが推奨されている場合、すなわち推奨フラグが立っている場合、第２記録媒体３００が装着されると、それに起因して推奨されているコンテンツを第２記録媒体３００に書き込むよう制御する。すなわち、制御部１０４はユーザからの指示がなくても、第２記録媒体装着部１１２から装着検知信号を受けると、当該コンテンツを第２記録媒体３００に自動的に書き込むよう制御する。
【００１９】
ここで、書き込むとは、複製および移動を含む概念とする。複製は、第１記録媒体１１６に記録されたコンテンツが第２記録媒体３００に書き込まれた後、第１記録媒体１１６に記録されたコンテンツがそのまま維持される形態である。移動は、第１記録媒体１１６に記録されたコンテンツが第２記録媒体３００に書き込まれた後、第１記録媒体１１６に記録されたコンテンツが消去または再生不能とされる形態である。
【００２０】
コンテンツには複製回数を所定の回数に制限する情報が付されている場合がある。たとえば、地上デジタル放送で送信されるコンテンツには、複製回数を９回に制限する複製回数制限情報が付加されることが予定されている（２００７年１０月現在）。
【００２１】
制御部１０４は、複製回数制限情報が付加されているコンテンツが第１記録媒体１１６に記録された場合、そのコンテンツの複製回数を管理する。第２記録媒体装着部１１２から装着検知信号を受けても、複製回数制限情報により指定された制限回数を超える場合、そのコンテンツの第２記録媒体への書き込みを禁止する。
【００２２】
第２記録媒体３００には、推奨されているコンテンツをコンテンツ管理装置１０から受け入れるか否かを示す情報が書き込まれている場合がある。たとえば、受け入れ可否フラグが書き込まれている場合がある。上記受け入れるか否かを示す情報は、第２記録媒体３００が第２記録媒体装着部１１２に装着されている状態で、第２記録媒体３００の保有者が受付部１００から設定されることができる。また、第２記録媒体３００が携帯機器に装着された状態で、携帯機器のユーザインタフェースから設定されることも可能である。
【００２３】
制御部１０４は、第２記録媒体３００にあらかじめ設定された、推奨されるコンテンツを受け入れるか否かを示す情報を参照し、受け入れが拒否されている場合、第２記録媒体装着部１１２から装着検知信号を受けても、当該コンテンツの第２記録媒体３００への書き込みを中止する。
【００２４】
第２記録媒体３００には、推奨されているコンテンツのコンテンツ管理装置１０からの受け入れを許可するジャンル情報が書き込まれている場合がある。このジャンル情報も、上記受け入れるか否かを示す情報と同様に手法で書き込まれることが可能である。
【００２５】
制御部１０４は、第２記録媒体にあらかじめ設定された、受け入れを許可するジャンル情報を参照し、推奨されているコンテンツのジャンルと一致するとき当該コンテンツを第２記録媒体３００に書き込むよう制御し、一致しないとき当該コンテンツの第２記録媒体３００への書き込みを中止する。
【００２６】
第２記録媒体装着部１１２は、第２記録媒体３００を装着するためのスロットである。第２記録媒体３００が装着されると、装着検知信号を制御部１０４に送信する。
【００２７】
ＭＰＥＧ−ＴＳデコーダ１０６は、ＴＳ分離／選択部１２４により分離されたＭＰＥＧ−トランスポートストリーム（ＴＳ）信号をデコードする。Ｄ／Ａ変換部１０８は、ＭＰＥＧ−ＴＳデコーダ１０６によりデコードされたデジタル信号をアナログ信号に変換する。表示装置１１０は、Ｄ／Ａ変換部１０８により変換されたアナログの映像データを表示する。
【００２８】
図２は、第１記録媒体１１６のディレクトリ／ファイル構造を示す図である。
第１記録媒体１１６には、番組ファイル管理ディレクトリ４００が構築される。番組ファイル管理ディレクトリ４００には、番組管理ファイル４１０、およびＮ個（Ｎは自然数）の映像音声データファイル４１１〜４１Ｎが含まれる。映像音声データファイルは、基本的に一つの番組に対応する。
【００２９】
図３は、番組ファイル管理ディレクトリ４００の構造を示す図である。
番組管理ファイル４１０には、総記録番組数ＮＯＰおよびＮ個分の記録番組情報が含まれる。各記録番組情報には、映像音声データファイル名ＤＦＮ、ファイルの推奨フラグ情報ＲＮ、ファイルの複製可能回数ＣＰＣＮ、およびファイルのジャンル情報ＧＮが含まれる。映像音声データファイル名ＤＦＮおよびジャンル情報ＧＮは、ＥＰＧ（Electric Program Guide）から取得することができる。推奨フラグ情報ＲＮは、推奨するユーザが設定する。複製可能回数ＣＰＣＮは、映像音声データファイルにあらかじめ付されている。その映像音声データファイルを受信後に分離して取得することができる。
【００３０】
図４は、第２記録媒体３００のディレクトリ／ファイル構造を示す図である。
第２記録媒体３００にも、番組ファイル管理ディレクトリ４００が構築される。番組ファイル管理ディレクトリ４００には、ユーザ設定ファイル５００、番組管理ファイル４１０、およびＮ個（Ｎは自然数）の映像音声データファイル４１１〜４１Ｎが含まれる。第１記録媒体１１６の番組ファイル管理ディレクトリ４００に、ユーザ設定ファイル５００が追加された構造である。
【００３１】
図５は、ユーザ設定ファイル５００の構造を示す図である。
ユーザ設定ファイル５００には、推奨コンテンツ入手可否フラグＲＡＦおよび受け入れジャンル情報ＧＩが含まれる。推奨コンテンツ入手可否フラグＲＡＦおよび受け入れジャンル情報ＧＩは、推奨を受けるユーザが設定する。
【００３２】
図６は、実施の形態に係るコンテンツ管理装置１０の動作を説明するためのフローチャートである。前提として、推奨フラグが設定されたコンテンツが第１記録媒体１１６に記録されているものとする。
まず、制御部１０４は、第２記録媒体装着部１１２から装着検知信号を受信すると（Ｓ１０のＹ）、第２記録媒体装着部１１２に装着された第２記録媒体３００からユーザ設定ファイル５００を読み込む（Ｓ１１）。制御部１０４は、読み込んだユーザ設定ファイル５００を参照して、推奨コンテンツ入手可否フラグＲＡＦが可にセットされているか否かを判定する（Ｓ１２）。非と設定されている場合（Ｓ１２のＮ）、処理を終了する。可と設定されている場合（Ｓ１２のＹ）、コンテンツ書込処理を発動する（Ｓ２０）。
【００３３】
図７は、コンテンツ書込処理を説明するためのフローチャートである。
制御部１０４は、番組管理ファイル４１０から総記録番組数を取得し、その番組数を変数Ｎに設定する（Ｓ２１）。制御部１０４は、変数ｉを１に初期値設定する（Ｓ２２）。
【００３４】
制御部１０４は、ｉ番目の映像音声データファイルの推奨フラグ情報Ｒｉが立っているか否か判定する（Ｓ２３）。ここで、推奨フラグＲｉが「１」の場合、そのファイルが推奨されている状態を示し、「０」の場合、推奨されていいない状態を示すものとする。推奨フラグ情報Ｒｉが「０」の場合（Ｓ２３のＮ）、後述するステップＳ２８に遷移する。推奨フラグ情報Ｒｉが「１」の場合（Ｓ２３のＹ）、制御部１０４は、ｉ番目の映像音声データファイルの複製可能回数ＣＰＣｉが１以上であるか否か判定する（Ｓ２４）。
【００３５】
複製可能回数ＣＰＣｉが１未満の場合（Ｓ２４のＮ）、後述するステップＳ２８に遷移する。複製可能回数ＣＰＣｉが１以上の場合（Ｓ２４のＹ）、制御部１０４は、ｉ番目の映像音声データファイルのジャンル情報Ｇｉが、第２記録媒体３００のユーザ設定ファイル５００内の受け入れジャンル情報ＧＩに含まれているか否か判定する（Ｓ２５）。
【００３６】
含まれていない場合（Ｓ２５のＮ）、後述するステップＳ２８に遷移する。含まれている場合（Ｓ２５のＹ）、制御部１０４は、第１記録媒体１１６に記録されている映像音声データファイルｉを第２記録媒体３００に書き込むよう制御する（Ｓ２６）。その後、ｉ番目の映像音声データファイルの複製可能回数ＣＰＣｉをデクリメントし（Ｓ２７）、変数ｉをインクリメントする（Ｓ２８）。
【００３７】
制御部１０４は、変数ｉと変数Ｎとを比較し、変数ｉが変数Ｎ以下のとき（Ｓ２９のＮ）、ステップＳ２３に戻り、上述した処理を繰り返す。変数ｉが変数Ｎを超えたとき（Ｓ２９のＹ）、コンテンツ書込処理を終了する。これにより、第１記録媒体１１６に記録された、推奨コンテンツのすべてを第２記録媒体３００に自動的に書き込むことができる。
【００３８】
以上説明したように本実施の形態によれば、複数のユーザが使用するコンテンツ管理装置において、あるユーザの推奨コンテンツを他のユーザの所持する機器に簡単に書き込むことができる。自己の所持する記録媒体にコンテンツを書き込むべきユーザは、当該記録媒体をコンテンツ管理装置に装着させるだけで、他のユーザから推奨されたコンテンツを当該記録媒体に記録させることができる。すなわち、従来必要であった、複製または移動を指示する操作を省略することができる。また、推奨コンテンツ入手可否フラグＲＡＦや受け入れジャンル情報ＧＩを設定することが可能であり、自己の所持する記録媒体に書き込むべきユーザの意思も尊重することができる。
【００３９】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００４０】
上記の実施の形態では、コンテンツとしてデジタル放送されるテレビ番組を想定したが、コンテンツは、静止画、動画、音声、あるいはそれらの任意の組合せであってもよく、テキストデータを含むものであってもよい。
【００４１】
また、ジャンル情報ＧＩに加えて、またはその代わりに、受け入れユーザ情報をユーザ設定ファイル５００に含めてもよい。この場合、番組管理ファイル４１０に、推奨フラグを設定したユーザ情報も含める。制御部１０４は、第２記録媒体３００にあらかじめ設定された、受け入れを許可するユーザ情報を参照し、コンテンツを推奨したユーザ情報と一致するときそのコンテンツを第２記録媒体３００に書き込むよう制御し、一致しないとき当該コンテンツの第２記録媒体３００への書き込みを中止する。これにより、自己の所持する記録媒体に書き込むべきユーザの意思をさらに尊重することができる。
【図面の簡単な説明】
【００４２】
【図１】実施の形態に係るコンテンツ管理装置の構成を示す図である。
【図２】第１記録媒体のディレクトリ／ファイル構造を示す図である。
【図３】番組ファイル管理ディレクトリの構造を示す図である。
【図４】第２記録媒体のディレクトリ／ファイル構造を示す図である。
【図５】ユーザ設定ファイルの構造を示す図である。
【図６】実施の形態に係るコンテンツ管理装置の動作を説明するためのフローチャートである。
【図７】コンテンツ書込処理を説明するためのフローチャートである。
【符号の説明】
【００４３】
１０  コンテンツ管理装置、  １００  受付部、  １０１  リモコン受光部、  １０２  表示パネル、  １０４  制御部、  １０６  ＭＰＥＧ−ＴＳデコーダ、  １０８  Ｄ／Ａ変換部、  １１０  表示装置、  １１２  第２記録媒体装着部、  １１６  第１記録媒体、  １２０  チューナ、  １２２  伝送路復号部、  １２４  ＴＳ分離／選択部、  ２００  アンテナ、  ３００  第２記録媒体。  
【図１】
2009099181.tif 000003
【図２】
2009099181.tif 000004
【図３】
2009099181.tif 000005
【図４】
2009099181.tif 000006
【図５】
2009099181.tif 000007
【図６】
2009099181.tif 000008
【図７】
2009099181.tif 000009